(57)【要約】【課題】操作端末が情報処理装置の有する電力を用いて通信を行うに際して、電力の利用効率を向上させる。【解決手段】情報処理装置１００は、自装置が実行する処理を指定するためのコマンドを含むコマンドパケットよりも小さいパケットであるトリガパケットを操作端末２００から無線信号によって受信する受信部１１０と、受信部１１０によって受信された無線信号からトリガパケットを取得するトリガパケット取得部１３２１と、トリガパケット取得部１３２１によってトリガパケットが取得されると電力を供給するための電力供給パケットを生成する電力供給パケット生成部１３４と、電力供給パケット生成部１３４によって生成された電力供給パケットを無線信号によって操作端末２００に送信する送信部１６０と、を備える。【選択図】図３
2011034294.tif 000002
【特許請求の範囲】
【請求項１】
自装置が実行する処理を指定するためのコマンドを含むコマンドパケットよりも小さいパケットであるトリガパケットを操作端末から無線信号によって受信する受信部と、
前記受信部によって受信された前記無線信号から前記トリガパケットを取得するトリガパケット取得部と、
前記トリガパケット取得部によって前記トリガパケットが取得されると電力を供給するための電力供給パケットを生成する電力供給パケット生成部と、
前記電力供給パケット生成部によって生成された前記電力供給パケットを無線信号によって前記操作端末に送信する送信部と、
を備える、情報処理装置。
【請求項２】
前記トリガパケット取得部によって前記トリガパケットが取得されると前記トリガパケットを受信した旨を示すトリガパケット受信通知パケットを生成するトリガパケット受信通知部をさらに備え、
前記送信部は、
前記トリガパケット受信通知部によって生成された前記トリガパケット受信通知パケットを無線信号によって前記操作端末にさらに送信する、
請求項１に記載の情報処理装置。
【請求項３】
前記電力供給パケット生成部は、
前記電力供給パケットを所定数順次に生成し、
前記送信部は、
前記電力供給パケット生成部によって前記生成された前記所定数の電力供給パケットを無線信号によって順次に前記操作端末に送信する、
請求項１に記載の情報処理装置。
【請求項４】
電力供給停止要求パケット取得部をさらに備え、
前記受信部は、
前記電力供給パケットの送信を停止する旨を示す電力供給停止要求パケットを前記操作端末から無線信号によってさらに受信し、
前記電力供給停止要求パケット取得部は、
前記受信部によって受信された前記無線信号から前記電力供給停止要求パケットを取得し、
前記電力供給パケット生成部は、
前記電力供給停止要求パケット取得部によって前記電力供給停止要求パケットが取得されるまで複数の前記電力供給パケットを順次に生成し、
前記送信部は、
前記電力供給パケット生成部によって生成された前記複数の電力供給パケットを無線信号によって順次に前記操作端末に送信する、
請求項１に記載の情報処理装置。
【請求項５】
コマンドパケット取得部をさらに備え、
前記受信部は、
前記電力供給パケットから取得された電力を用いて前記操作端末から送信された前記コマンドパケットをさらに受信し、
前記コマンドパケット取得部は、
前記受信部によって受信された前記無線信号から前記コマンドパケットを取得し、
前記電力供給パケット生成部は、
前記コマンドパケット取得部によって前記コマンドパケットが取得されるまで複数の前記電力供給パケットを順次に生成し、
前記送信部は、
前記電力供給パケット生成部によって生成された前記複数の電力供給パケットを無線信号によって順次に前記操作端末に送信する、
請求項１に記載の情報処理装置。
【請求項６】
コマンドパケット取得部と、処理実行部とをさらに備え、
前記受信部は、
前記電力供給パケットから取得された電力を用いて前記操作端末から送信された前記コマンドパケットをさらに受信し、
前記コマンドパケット取得部は、
前記受信部によって受信された前記無線信号から前記コマンドパケットを取得し、
前記処理実行部は、
前記コマンドパケット取得部によって取得された前記コマンドパケットに含まれるコマンドによって指定される処理を実行する、
請求項１に記載の情報処理装置。
【請求項７】
前記コマンドパケット取得部によって取得された前記コマンドパケットに、前記電力供給パケットを再度送信する旨を示す電力再供給要求情報が付加されているか否かを判断する電力供給判断部、
をさらに備え、
前記電力供給パケット生成部は、
前記電力供給判断部によって前記電力再供給要求情報が付加されていると判断された場合に、前記電力供給パケットを再度生成し、
前記送信部は、
電力供給パケット生成部によって生成された前記電力供給パケットを無線信号によって前記操作端末に再度送信する、
請求項６に記載の情報処理装置。
【請求項８】
記憶部と、
前記コマンドパケット取得部によって取得された前記コマンドパケットに、前記電力供給パケットを再度送信する旨を示す電力再供給要求情報が付加されているか否かを判断する電力供給判断部と、
をさらに備え、
前記電力供給パケット生成部は、
前記電力供給判断部によって前記電力再供給要求情報が付加されていると判断された場合に、前記電力供給パケットを再度生成し、
前記送信部は、
電力供給パケット生成部によって生成された前記電力供給パケットを無線信号によって前記操作端末に再度送信し、
前記処理実行部は、
前記電力供給判断部によって前記電力再供給要求情報が付加されていると判断された場合には、前記コマンドパケット取得部によって取得された前記コマンドパケットに含まれるコマンドを前記記憶部に記憶させ、前記電力供給判断部によって前記電力再供給要求情報が付加されていないと判断された場合に、前記コマンドパケット取得部によって取得された前記コマンドパケットに含まれる第Ｎコマンド（Ｎは２以上の整数）と前記記憶部によって記憶されている前記第１コマンドから第Ｎ−１コマンドまでとを結合し、結合して得たコマンドによって指定される処理を実行する、
請求項６に記載の情報処理装置。
【請求項９】
情報処理装置に実行させる処理を指定するためのコマンドを含む操作情報の入力を受け付ける入力部と、
前記入力部によって入力が受け付けられた前記操作情報から前記コマンドを取得するコマンド取得部と、
前記コマンド取得部によって前記コマンドが取得されると前記コマンドを含むコマンドパケットよりも小さいパケットであるトリガパケットを生成するトリガパケット生成部と、
前記トリガパケット生成部によって生成された前記トリガパケットを無線信号によって前記情報処理装置に送信する送信部と、
を備える、操作端末。
【請求項１０】
前記トリガパケットを無線信号によって受信した前記情報処理装置から前記トリガパケットを受信した旨を示すトリガパケット受信通知パケットを無線信号によって受信する受信部と、
前記受信部によって受信された前記無線信号から前記トリガパケット受信通知パケットを取得するトリガパケット送信結果取得部と、
をさらに備え、
前記トリガパケット生成部は、
前記トリガパケット送信結果取得部によって前記トリガパケット受信通知パケットが取得されるまで複数の前記トリガパケットを順次に生成し、
前記送信部は、
前記トリガパケット生成部によって生成された前記複数のトリガパケットを無線信号によって順次に前記情報処理装置に送信する、
請求項９に記載の操作端末。
【請求項１１】
前記トリガパケットを無線信号によって受信した前記情報処理装置から電力を供給するための電力供給パケットを取得する電力供給パケット取得部と、
前記電力供給パケット取得部によって取得された前記電力供給パケットから電力を取得して蓄積する蓄電部と、
前記蓄電部によって蓄積された前記電力を前記送信部に供給する電力供給制御部と、
前記コマンドパケットを生成するコマンドパケット生成部と、
をさらに備え、
前記送信部は、
前記電力供給制御部によって供給された電力を用いて、前記コマンドパケット生成部によって生成された前記コマンドパケットを前記情報処理装置にさらに送信する、
請求項９に記載の操作端末。
【請求項１２】
前記蓄電部に蓄積されている前記電力を監視する監視部と、
前記監視部によって前記電力が所定値を超えたと判断された場合に、前記電力供給パケットの送信を停止する旨を示す電力供給停止要求パケットを生成する電力供給停止要求パケット生成部と、
をさらに備え、
前記送信部は、
前記電力供給停止要求パケット生成部によって生成された前記電力供給停止要求パケットを前記情報処理装置にさらに送信する、
請求項１１に記載の操作端末。
【請求項１３】
前記コマンドパケット生成部は、
前記コマンド取得部によって前記コマンドが複数取得され、当該複数のコマンドを先頭から順に第１コマンドから第Ｎコマンド（Ｎは２以上の整数）までとした場合に、前記第１コマンドから前記第Ｎ−１コマンドには前記電力供給パケットを再度送信する旨を示す電力再供給要求情報を付加して第１コマンドパケットから第Ｎ−１コマンドパケットとするとともに前記第Ｎコマンドには前記電力再供給要求情報を付加せずに第Ｎコマンドパケットとし、
前記送信部は、
前記コマンドパケット生成部によって生成された前記第１コマンドパケットから前記第Ｎコマンドパケットまでを順次に前記情報処理装置に送信する、
請求項１１に記載の操作端末。
【請求項１４】
前記コマンドパケット生成部は、
前記コマンド取得部によって取得された前記コマンドを複数に分割し、分割して得た複数のコマンドを先頭から順に第１コマンドから第Ｎコマンド（Ｎは２以上の整数）までとした場合に、前記第１コマンドから前記第Ｎ−１コマンドには前記電力供給パケットを再度送信する旨を示す電力再供給要求情報を付加して第１コマンドパケットから第Ｎ−１コマンドパケットとするとともに前記第Ｎコマンドには前記電力再供給要求情報を付加せずに第Ｎコマンドパケットとし、
前記送信部は、
前記コマンドパケット生成部によって生成された前記第１コマンドパケットから前記第Ｎコマンドパケットまでを順次に前記情報処理装置に送信する、
請求項１１に記載の操作端末。
【請求項１５】
前記送信部は、
前記情報処理装置から所定時間ごとに送信される電力供給パケットから取得された電力、自端末に備えられたボタンの押下によって発電する圧電素子から取得された電力、電磁誘導によって取得される電力、太陽電池から取得される電力のうちの少なくともいずれか１つを用いて、前記トリガパケットを無線信号によって前記情報処理装置に送信する、
請求項９に記載の操作端末。
【請求項１６】
情報処理装置と操作端末とを有する情報処理システムであって、
前記操作端末は、
前記情報処理装置に実行させる処理を指定するためのコマンドを含む操作情報の入力を受け付ける入力部と、
前記入力部によって入力が受け付けられた前記操作情報から前記コマンドを取得するコマンド取得部と、
前記コマンド取得部によって前記コマンドが取得されると前記コマンドを含むコマンドパケットよりも小さいパケットであるトリガパケットを生成するトリガパケット生成部と、
前記トリガパケット生成部によって生成された前記トリガパケットを無線信号によって前記情報処理装置に送信する送信部と、
を備え、
前記情報処理装置は、
前記トリガパケットを前記操作端末から無線信号によって受信する受信部と、
前記受信部によって受信された前記無線信号から前記トリガパケットを取得するトリガパケット取得部と、
前記トリガパケット取得部によって前記トリガパケットが取得されると電力を供給するための電力供給パケットを生成する電力供給パケット生成部と、
前記電力供給パケット生成部によって生成された前記電力供給パケットを無線信号によって前記操作端末に送信する送信部と、
を備える、情報処理システム。
【請求項１７】
受信部とトリガパケット取得部と電力供給パケット生成部と送信部とを備える情報処理装置と、入力部とコマンド取得部とトリガパケット生成部と送信部とを有する操作端末とを有する情報処理システムによる情報処理方法であって、
前記操作端末は、
前記入力部により、前記情報処理装置に実行させる処理を指定するためのコマンドを含む操作情報の入力を受け付けるステップと、
前記コマンド取得部により、前記入力部によって入力が受け付けられた前記操作情報から前記コマンドを取得するステップと、
前記トリガパケット生成部により、前記コマンド取得部によって前記コマンドが取得されると前記コマンドを含むコマンドパケットよりも小さいパケットであるトリガパケットを生成するステップと、
前記送信部により、前記トリガパケット生成部によって生成された前記トリガパケットを無線信号によって前記情報処理装置に送信するステップと、
を実行し、
前記情報処理装置は、
前記受信部により、前記トリガパケットを前記操作端末から無線信号によって受信するステップと、
前記トリガパケット取得部により、前記受信部によって受信された前記無線信号から前記トリガパケットを取得するステップと、
電力供給パケット生成部により、前記トリガパケット取得部によって前記トリガパケットが取得されると電力を供給するための電力供給パケットを生成するステップと、
前記送信部により、前記電力供給パケット生成部によって生成された前記電力供給パケットを無線信号によって前記操作端末に送信するステップと、
を実行する、情報処理システムによる情報処理方法。
【発明の詳細な説明】
【技術分野】
【０００１】
本発明は、情報処理装置、操作端末、情報処理システムおよび情報処理システムによる情報処理方法に関する。
【背景技術】
【０００２】
テレビなどの情報処理装置に使用されるリモコンとしては赤外線通信を用いたものが主流であった。しかし、赤外線通信を用いたリモコンを使用した場合には、赤外線の指向性が強いために、リモコンを情報処理装置の方向へ赤外線の発光部を向ける必要があった。電波の指向性は比較的弱いため、近年では、電波を用いたＲＦ（Ｒａｄｉｏ  Ｆｒｅｑｕｅｎｃｙ）リモコンが開発されて主流となりつつある。また、ＲＦリモコンの規格を標準化するための試みが各団体によってなされている。
【０００３】
例えば、近距離無線通信規格ＩＥＥＥ（登録商標）（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．１５．４に準拠し、ＩＥＥＥ（登録商標）８０２．１５．４の上位に相当するネットワーク層、セキュリティ層、アプリケーション層の仕様としてＺｉｇＢｅｅ（登録商標）が標準化されている。ＺｉｇＢｅｅ（登録商標）の仕様は、バージョン１．０としてＺｉｇＢｅｅ（登録商標）  Ａｌｌｉａｎｃｅで承認されている。ＩＥＥＥ（登録商標）８０２．１５．４は、物理層とＭＡＣ（Ｍｅｄｉａ  Ａｃｃｅｓｓ  Ｃｏｎｔｒｏｌ）層の仕様として、ＩＥＥＥ（登録商標）の標準化委員会によってまとめられたものである。
【０００４】
さらに、ＩＥＥＥ（登録商標）８０２．１５．４をもとに、業界団体によってＲＦリモコン規格ＺｉｇＢｅｅ（登録商標）  ＲＦ４ＣＥ（Ｒａｄｉｏ  Ｆｒｅｑｕｅｎｃｙ  ｆｏｒ  Ｃｏｎｓｕｍｅｒ  Ｅｌｅｃｔｒｏｎｉｃｓ）  ｖ１．０  ｓｐｅｃが標準化されている。
【０００５】
ここで、例えば、ＲＦＩＤ（Ｒａｄｉｏ  Ｆｒｅｑｕｅｎｃｙ  ＩＤｅｎｔｉｆｉｃａｔｉｏｎ）などに利用されている無電源通信技術では、一般的に、潤沢な電源を有するリーダから電源を有さないカードに電波を照射する。カードは、照射された電波から電力を取得して、取得した電力を用いてリーダに対して返答する。リーダは、カードから返答された情報を取得することによって、カードの情報を読み取るという手順を取っている（例えば、特許文献１参照）。
【先行技術文献】
【特許文献】
【０００６】
【特許文献１】特開２００２−１５７５６２号公報
【発明の概要】
【発明が解決しようとする課題】
【０００７】
しかしながら、上記したような無電源通信技術を用いた場合には、リーダはカードが通信可能なエリアに近づくタイミングを事前に把握することができない。また、このような無電源通信技術を、電源を有さないＲＦリモコン等の操作端末と電源を有する情報処理装置との間の通信に適用しようとした場合には、操作端末が操作されるタイミング、すなわち、操作端末から情報処理装置への通信が要求されるタイミングを情報処理装置が事前に把握することができない。したがって、操作端末から情報処理装置への通信が要求されないタイミングであっても情報処理装置は操作端末に対して電波を照射する必要があり、情報処理装置が有する電力の利用効率が悪いという問題があった。
【０００８】
そこで、本発明は、上記問題に鑑みてなされたものであり、本発明の目的とするところは、操作端末が情報処理装置の有する電力を用いて通信を行うに際して、電力の利用効率を向上させることが可能な、新規かつ改良された技術を提供しようとするものである。
【課題を解決するための手段】
【０００９】
上記課題を解決するために、本発明のある観点によれば、自装置が実行する処理を指定するためのコマンドを含むコマンドパケットよりも小さいパケットであるトリガパケットを操作端末から無線信号によって受信する受信部と、受信部によって受信された無線信号からトリガパケットを取得するトリガパケット取得部と、トリガパケット取得部によってトリガパケットが取得されると電力を供給するための電力供給パケットを生成する電力供給パケット生成部と、電力供給パケット生成部によって生成された電力供給パケットを無線信号によって操作端末に送信する送信部と、を備える、情報処理装置が提供される。
【００１０】
情報処理装置は、トリガパケット取得部によってトリガパケットが取得されるとトリガパケットを受信した旨を示すトリガパケット受信通知パケットを生成するトリガパケット受信通知部をさらに備え、送信部は、トリガパケット受信通知部によって生成されたトリガパケット受信通知パケットを無線信号によって操作端末にさらに送信することとしてもよい。
【００１１】
電力供給パケット生成部は、電力供給パケットを所定数順次に生成し、送信部は、電力供給パケット生成部によって生成された所定数の電力供給パケットを無線信号によって順次に操作端末に送信することとしてもよい。
【００１２】
情報処理装置は、電力供給停止要求パケット取得部をさらに備え、受信部は、電力供給パケットの送信を停止する旨を示す電力供給停止要求パケットを操作端末から無線信号によってさらに受信し、電力供給停止要求パケット取得部は、受信部によって受信された無線信号から電力供給停止要求パケットを取得し、電力供給パケット生成部は、電力供給停止要求パケット取得部によって電力供給停止要求パケットが取得されるまで複数の電力供給パケットを順次に生成し、送信部は、電力供給パケット生成部によって生成された複数の電力供給パケットを無線信号によって順次に操作端末に送信することとしてもよい。
【００１３】
情報処理装置は、コマンドパケット取得部をさらに備え、受信部は、電力供給パケットから取得された電力を用いて操作端末から送信されたコマンドパケットをさらに受信し、コマンドパケット取得部は、受信部によって受信された無線信号からコマンドパケットを取得し、電力供給パケット生成部は、コマンドパケット取得部によってコマンドパケットが取得されるまで複数の電力供給パケットを順次に生成し、送信部は、電力供給パケット生成部によって生成された複数の電力供給パケットを無線信号によって順次に操作端末に送信することとしてもよい。
【００１４】
情報処理装置は、コマンドパケット取得部と、処理実行部とをさらに備え、受信部は、電力供給パケットから取得された電力を用いて操作端末から送信されたコマンドパケットをさらに受信し、コマンドパケット取得部は、受信部によって受信された無線信号からコマンドパケットを取得し、処理実行部は、コマンドパケット取得部によって取得されたコマンドパケットに含まれるコマンドによって指定される処理を実行することとしてもよい。
【００１５】
情報処理装置は、コマンドパケット取得部によって取得されたコマンドパケットに、電力供給パケットを再度送信する旨を示す電力再供給要求情報が付加されているか否かを判断する電力供給判断部、をさらに備え、電力供給パケット生成部は、電力供給判断部によって電力再供給要求情報が付加されていると判断された場合に、電力供給パケットを再度生成し、送信部は、電力供給パケット生成部によって生成された電力供給パケットを無線信号によって操作端末に再度送信することとしてもよい。
【００１６】
情報処理装置は、記憶部と、コマンドパケット取得部によって取得されたコマンドパケットに、電力供給パケットを再度送信する旨を示す電力再供給要求情報が付加されているか否かを判断する電力供給判断部と、をさらに備え、電力供給パケット生成部は、電力供給判断部によって電力再供給要求情報が付加されていると判断された場合に、電力供給パケットを再度生成し、送信部は、電力供給パケット生成部によって生成された電力供給パケットを無線信号によって操作端末に再度送信し、処理実行部は、電力供給判断部によって電力再供給要求情報が付加されていると判断された場合には、コマンドパケット取得部によって取得されたコマンドパケットに含まれるコマンドを記憶部に記憶させ、電力供給判断部によって電力再供給要求情報が付加されていないと判断された場合に、コマンドパケット取得部によって取得されたコマンドパケットに含まれる第Ｎコマンド（Ｎは２以上の整数）と記憶部によって記憶されている第１コマンドから第Ｎ−１コマンドまでとを結合し、結合して得たコマンドによって指定される処理を実行することとしてもよい。
【発明の効果】
【００１７】
以上説明したように本発明によれば、操作端末が情報処理装置の有する電力を用いて通信を行うに際して、電力の利用効率を向上させることが可能である。
【図面の簡単な説明】
【００１８】
【図１】本実施形態に係る情報処理装置の一例としてのテレビの状態遷移図である。
【図２】本実施形態に係る情報処理システムの概要を説明するための図である。
【図３】本実施形態に係る情報処理装置の機能構成を示す図である。
【図４】本実施形態に係る情報処理装置のハードウェア構成を示す図である。
【図５】本実施形態に係る操作端末の機能構成を示す図である。
【図６】本実施形態に係る操作端末のハードウェア構成を示す図である。
【図７】情報処理システムによって実行される処理の流れを示すシーケンス図である。
【図８】操作端末がトリガパケットを送信するための電力を取得する処理の流れの一例を示すシーケンス図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は以下の順序で行う。
【００２０】
１．    第１実施形態
１−１．  情報処理装置の一例としてのテレビの状態遷移
１−２．  情報処理システムの概要
１−３．  情報処理装置の機能構成
１−４．  操作端末の機能構成
１−５．  情報処理装置のハードウェア構成
１−６．  操作端末のハードウェア構成
１−７．  情報処理システムによって実行される処理の流れ
１−８．  トリガパケットを送信するための電力を取得する処理の流れ
２．    変形例
３．    まとめ
【００２１】
＜１．第１実施形態＞
本発明の第１実施形態について説明する。
【００２２】
［１−１．テレビの状態遷移図］
図１は、本実施形態に係る情報処理装置の一例としてのテレビの状態遷移図である。図１を参照して（適宜他の図参照）、本実施形態に係る情報処理装置の一例としてのテレビの状態遷移について説明する。
【００２３】
図１においては、リモコンなどの操作端末の役割としては、主に、テレビの電源のＯＮとＯＦＦとの切り替え、チャンネルの選択などがある。図１に示すように、例えば、操作端末の電源ＯＮのスイッチがユーザによって押下されると、操作端末が電源ＯＮ信号を送信し、テレビが電源ＯＮ信号を受信すると、テレビの状態は、スタンバイモードＴ２００から電源ＯＮモードＴ３００に遷移する。テレビの状態が電源ＯＮモードＴ３００である場合に、テレビが操作端末からチャンネルの選択信号を受信すると、受信した選択信号に基づいてテレビのチャンネルが切り替わる。同様に、テレビの状態が電源ＯＮモードＴ３００である場合に、操作端末の音量の選択信号をテレビが受信すると、受信した選択信号に基づいて音量の調整がなされる。
【００２４】
テレビの状態が、スタンバイモードＴ２００および電源ＯＮモードＴ３００のいずれかの状態である場合には、テレビは、操作端末からの無線信号によるコマンドを受信することが可能である。テレビの状態がスタンバイモードＴ２００の場合には、電源ＯＮモードＴ３００の場合よりも、テレビは、電波を受信するために使用する電力を小さくすることが好ましい。これは、テレビの状態がスタンバイモードＴ２００の場合に消費される電力量を小さくする要求があるからである。したがって、テレビの状態がスタンバイモードＴ２００の場合には、テレビは、電波を受信できる状態である受信待ち状態に間欠的に遷移することにより消費電力を小さくすることが好ましい。また、テレビに対してのみ適用されることなく、操作端末から受信した電波に従って処理を行う情報処理装置は、一般的に、受信待ち状態に間欠的に遷移することにより消費電力を小さくすることが好ましい。
【００２５】
［１−２．情報処理システムの概要］
図２は、本実施形態に係る情報処理システムの概要を説明するための図である。図２を参照して（適宜他の図参照）、本実施形態に係る情報処理システムの概要について説明する。
【００２６】
図２に示すように、本実施形態に係る情報処理システム１０は、情報処理装置１００と操作端末２００とを備えるものである。操作端末２００は、ユーザＵから操作情報の入力を受け付けると、後述するコマンドパケットよりも小さいパケットであるトリガパケットを電波による無線信号ＴＥによって情報処理装置１００に送信する。情報処理装置１００は、操作端末２００からトリガパケットを受信すると、電力を供給するための電力供給パケットを電波による無線信号ＲＥによって操作端末２００に送信する。
【００２７】
操作端末２００は、情報処理装置１００から電力供給パケットを受信すると、受信した電力供給パケットから電力を取得するとともに、取得した電力を用いて、操作情報に含まれるコマンドを含んだコマンドパケットを無線信号ＴＥによって情報処理装置１００に送信する。情報処理装置１００は、操作端末２００からコマンドパケットを受信し、受信したコマンドパケットに含まれるコマンドに従って処理を行う。
【００２８】
ここで、図２に示すように、情報処理装置１００は、例えば、テレビであることが想定されるが、テレビに限定されるものではない。情報処理装置１００は、無線信号ＲＥによって操作端末２００に電力供給パケットを送信する機能や、操作端末２００から無線信号ＴＥによってコマンドパケットを受信し、受信したコマンドパケットに含まれるコマンドに従って処理を行う機能を有するものであればよい。情報処理装置１００は、例えば、テレビ番組の録画再生装置などであってもよい。
【００２９】
また、操作端末２００は、例えば、上記したようなＲＦリモコンなどであることが想定されるが、特にＲＦリモコンに限定されるものではない。操作端末２００は、例えば、ユーザＵから操作情報の入力を受け付ける機能や、情報処理装置１００から無線信号ＲＥによって受信した電力供給パケットから電力を取得する機能、操作情報に含まれるコマンドを含んだコマンドパケットを無線信号ＴＥによって情報処理装置１００に送信する機能を有するものであればよい。
【００３０】
［１−３．情報処理装置の機能構成］
図３は、本実施形態に係る情報処理装置の機能構成を示す図である。図３を参照して（適宜他の図参照）、本実施形態に係る情報処理装置の機能構成について説明する。
【００３１】
図３に示すように、情報処理装置１００は、少なくとも、受信部１１０と、制御部１３０と、送信部１６０とを備えるものである。また、制御部１３０は、少なくとも、パケット取得部１３２と、電力供給パケット生成部１３４とを備えるものである。
【００３２】
受信部１１０は、アンテナなどによって構成されるものであり、自装置が実行する処理を指定するためのコマンドを含むコマンドパケットよりも小さいパケットであるトリガパケットを操作端末２００から無線信号によって受信する機能を有する。トリガパケットは、極めて小さいパケットであればよく、例えば、プリアンブルのみによって構成されることとしてもよい。
【００３３】
情報処理装置１００は、必要に応じて、第１受信制御部１２０を備える。第１受信制御部１２０は、受信部１１０によって受信された無線信号に対して、必要に応じて、増幅、フィルタリング、ダウンコンバージョンなどのアナログ処理を行うことにより、高周波信号をベースバンド信号に周波数変換する。また、第１受信制御部１２０は、制御部１３０がデジタル信号による処理を行う場合には、アナログ信号形式のベースバンド信号をデジタル形式のベースバンド信号に変換する。
【００３４】
制御部１３０は、必要に応じて、第２受信制御部１３１を備える。第２受信制御部１３１は、ベースバンド信号に対して、復調処理、デコード処理などを行う機能を有する。復調処理、デコード処理については、特に限定されるものではない。
【００３５】
トリガパケット取得部１３２１は、受信部１１０によって受信された無線信号からトリガパケットを取得する機能を有する。パケット取得部１３２は、例えば、受信部１１０によって受信された無線信号から取得したパケットにトリガパケットを識別するためのパケット識別情報が付与されている場合に、そのパケットをトリガパケットであるとしてトリガパケット取得部１３２１に出力する。
【００３６】
電力供給パケット生成部１３４は、トリガパケット取得部１３２１によってトリガパケットが取得されると電力を供給するための電力供給パケットを生成する機能を有する。電力供給パケットの大きさは特に限定されるものではなく、１つのパケットの送信によって操作端末２００に対して供給すべき電力に応じて適宜調整することが可能である。また、電力供給パケットは操作端末２００に電力を供給するための使用されるため、電力供給パケットに含まれる情報は特に限定されるものではない。
【００３７】
送信部１６０は、アンテナなどによって構成されるものであり、電力供給パケット生成部１３４によって生成された電力供給パケットを無線信号によって操作端末２００に送信する機能を有する。送信部１６０は、受信部１１０と同一のアンテナを共有する構成としてもよいし、受信部１１０と別個のアンテナによって構成されることとしてもよい。
【００３８】
制御部１３０は、必要に応じて、第１送信制御部１３８を備える。第１送信制御部１３８は、ベースバンド信号に対して、変調処理、エンコード処理などを行う機能を有する。変調処理、エンコード処理については、特に限定されるものではない。
【００３９】
情報処理装置１００は、必要に応じて、第２送信制御部１５０を備える。第２送信制御部１５０は、制御部１３０がデジタル信号による処理を行う場合には、送信対象となるデジタル信号をアナログ信号に変換する。また、第２送信制御部１５０は、ベースバンド信号をアップコンバージョンにより高周波信号に周波数変換し、送信部１６０に出力する。
【００４０】
制御部１３０は、トリガパケット受信通知部１３３をさらに備えることとしてもよい。トリガパケット取得部１３２１によってトリガパケットが取得されるとトリガパケットを受信した旨を示すトリガパケット受信通知パケットを生成する機能を有する。制御部１３０は、トリガパケット受信通知部１３３をさらに備える場合には、送信部１６０は、トリガパケット受信通知部１３３によって生成されたトリガパケット受信通知パケットを無線信号によって操作端末２００にさらに送信する。操作端末２００は、情報処理装置１００からトリガパケット受信通知パケットを受信することによって、情報処理装置１００によってトリガパケットが受信されたことを認識し、トリガパケットの送信を停止することができる。
【００４１】
情報処理装置１００が電力供給パケットの送信を停止する手法については様々なものを適用することができる。例えば、１つ目の手法としては、電力供給パケット生成部１３４は、電力供給パケットを所定数順次に生成し、送信部１６０は、電力供給パケット生成部１３４によって生成された所定数の電力供給パケットを無線信号によって順次に操作端末２００に送信する手法を適用することができる。
【００４２】
２つ目の手法として、情報処理装置１００が電力供給停止要求パケット取得部をさらに備える手法を適用することができる。その場合には、受信部１１０は、電力供給パケットの送信を停止する旨を示す電力供給停止要求パケットを操作端末２００から無線信号によってさらに受信し、電力供給停止要求パケット取得部は、受信部１１０によって受信された無線信号から電力供給停止要求パケットを取得する。そして、電力供給パケット生成部１３４は、電力供給停止要求パケット取得部によって電力供給停止要求パケットが取得されるまで複数の電力供給パケットを順次に生成し、送信部１６０は、電力供給パケット生成部１３４によって生成された複数の電力供給パケットを無線信号によって順次に操作端末２００に送信することとすればよい。
【００４３】
また、３つ目の手法として、情報処理装置１００が操作端末２００からコマンドパケットを取得するまで電力供給パケットを送信する手法を適用することができる。その場合には、情報処理装置１００は、コマンドパケット取得部１３２２をさらに備え、受信部１１０は、電力供給パケットから取得された電力を用いて操作端末２００から送信されたコマンドパケットをさらに受信する。コマンドパケット取得部１３２２は、受信部１１０によって受信された無線信号からコマンドパケットを取得する。電力供給パケット生成部１３４は、コマンドパケット取得部１３２２によってコマンドパケットが取得されるまで複数の電力供給パケットを順次に生成し、送信部１６０は、電力供給パケット生成部１３４によって生成された複数の電力供給パケットを無線信号によって順次に操作端末２００に送信する。
【００４４】
情報処理装置１００は、コマンドパケット取得部１３２２と、処理実行部１３６とをさらに備えることとしてもよい。その場合には、受信部１１０は、電力供給パケットから取得された電力を用いて操作端末２００から送信されたコマンドパケットをさらに受信し、コマンドパケット取得部１３２２は、受信部１１０によって受信された無線信号からコマンドパケットを取得する。そして、処理実行部１３６は、コマンドパケット取得部１３２２によって取得されたコマンドパケットに含まれるコマンドによって指定される処理を実行する。パケット取得部１３２は、例えば、受信部１１０によって受信された無線信号から取得したパケットにコマンドパケットを識別するためのパケット識別情報が付与されている場合に、そのパケットをコマンドパケットであるとしてコマンドパケット取得部１３２２に出力する。
【００４５】
また、操作端末２００が複数のコマンドパケットを継続して情報処理装置１００に送信する場合が想定される。例えば、操作端末２００が音量を上げる旨を示すコマンドを情報処理装置１００に複数回連続的に送信する場合などが該当する。そのような場合には、情報処理装置１００は、電力供給判断部１３５をさらに備えることとしてもよい。電力供給判断部１３５は、コマンドパケット取得部１３２２によって取得されたコマンドパケットに、電力供給パケットを再度送信する旨を示す電力再供給要求情報が付加されているか否かを判断する。電力供給パケット生成部１３４は、電力供給判断部１３５によって電力再供給要求情報が付加されていると判断された場合に、電力供給パケットを再度生成する。送信部１６０は、電力供給パケット生成部１３４によって生成された電力供給パケットを無線信号によって操作端末２００に再度送信する。
【００４６】
操作端末２００がコマンドを１つのコマンドパケットに含めて情報処理装置１００に送信できない場合も想定される。そのような場合には、操作端末２００は、コマンドを複数に分割して、分割して得た各コマンドを別個のパケットに含めて情報処理装置１００に送信する必要が生じる。したがって、そのような場合には、情報処理装置１００は、記憶部１４０と、電力供給判断部１３５と、をさらに備えることとしてもよい。
【００４７】
情報処理装置１００が記憶部１４０と電力供給判断部１３５とをさらに備える場合には、電力供給パケット生成部１３４は、電力供給判断部１３５によって電力再供給要求情報が付加されていると判断された場合に、電力供給パケットを再度生成する。送信部１６０は、電力供給パケット生成部１３４によって生成された電力供給パケットを無線信号によって操作端末２００に再度送信する。操作端末２００は、電力供給パケットを受信すれば、受信した電力供給パケットからコマンドパケットを送信するための電力を取得することができる。また、処理実行部１３６は、電力供給判断部１３５によって電力再供給要求情報が付加されていると判断された場合には、コマンドパケット取得部１３２２によって取得されたコマンドパケットに含まれるコマンドを記憶部１４０に記憶させる。これにより、第１コマンドから第Ｎ−１コマンド（Ｎは２以上の整数）までが記憶部１４０に記憶されたとする。処理実行部１３６は、電力供給判断部１３５によって電力再供給要求情報が付加されていないと判断された場合に、コマンドパケット取得部１３２２によって取得されたコマンドパケットに含まれる第Ｎコマンドと記憶部１４０によって記憶されている第１コマンドから第Ｎ−１コマンドまでとを結合し、結合して得たコマンドによって指定される処理を実行する。
【００４８】
処理実行部１３６は、コマンドパケット取得部１３２２によって取得されたコマンドパケットに、コマンドを複数に分割して送信する旨を示すコマンド分割送信情報が付加されているか否かを判断することとしてもよい。この場合には、例えば、処理実行部１３６は、コマンド分割送信情報が付加されていると判断した場合には、コマンドパケット取得部１３２２によって取得されたコマンドパケットに含まれるコマンドが操作端末２００によって分割されたものであると判断すればよい。また、処理実行部１３６は、例えば、コマンド分割送信情報が付加されていないと判断した場合には、コマンドパケット取得部１３２２によって取得されたコマンドパケットに含まれるコマンドが操作端末２００によって分割されたものではないと判断すればよい。
【００４９】
制御部１３０は、情報処理装置１００が表示部１７０を備える場合には、表示制御部１３７を備え、情報処理装置１００が音声出力部１８０を備える場合には、音声出力制御部１３９を備える。情報処理装置１００が、例えば、テレビに使用される場合には、処理実行部１３６は、映像データを表示制御部１３７に出力するとともに音声データを音声出力制御部１３９に出力する。表示制御部１３７は、映像データに基づいて映像を表示部１７０に表示させ、音声出力制御部１３９は、音声データに基づいて音声を音声出力部１８０に出力させる。
【００５０】
［１−４．操作端末の機能構成］
図４は、本実施形態に係る操作端末の機能構成を示す図である。図４を参照して（適宜他の図参照）、本実施形態に係る操作端末の機能構成について説明する。
【００５１】
図４に示すように、操作端末２００は、少なくとも、入力部２７０と、制御部２３０と、送信部２６０とを備えるものである。
【００５２】
また、制御部２３０は、少なくとも、操作情報取得部２３３と、トリガパケット生成部２３４とを備えるものである。操作情報取得部２３３は、少なくとも、コマンド取得部２３３１を備えるものである。
【００５３】
入力部２７０は、例えば、ボタン操作などによってユーザＵから操作情報の入力を受け付けることが可能なものであり、情報処理装置１００に実行させる処理を指定するためのコマンドを含む操作情報の入力を受け付ける機能を有する。
【００５４】
コマンド取得部２３３１は、入力部２７０によって入力が受け付けられた操作情報からコマンドを取得する機能を有する。
【００５５】
トリガパケット生成部２３４は、コマンド取得部２３３１によってコマンドが取得されるとコマンドを含むコマンドパケットよりも小さいパケットであるトリガパケットを生成する。前述したように、トリガパケットは、極めて小さいパケットであればよく、例えば、プリアンブルのみによって構成されることとしてもよい。
【００５６】
送信部２６０は、アンテナなどによって構成されるものであり、トリガパケット生成部２３４によって生成されたトリガパケットを無線信号によって情報処理装置１００に送信する機能を有する。送信部２６０は、受信部２１０と同一のアンテナを共有する構成としてもよいし、受信部２１０と別個のアンテナによって構成されることとしてもよい。
【００５７】
制御部２３０は、必要に応じて、第１送信制御部２３８を備える。第１送信制御部２３８は、ベースバンド信号に対して、変調処理、エンコード処理などを行う機能を有する。変調処理、エンコード処理については、特に限定されるものではない。
【００５８】
操作端末２００は、必要に応じて、第２送信制御部２５０を備える。第２送信制御部２５０は、制御部２３０がデジタル信号による処理を行う場合には、送信対象となるデジタル信号をアナログ信号に変換する。また、第２送信制御部２５０は、ベースバンド信号をアップコンバージョンにより高周波信号に周波数変換し、送信部２６０に出力する。
【００５９】
操作端末２００は、受信部２１０と、トリガパケット送信結果取得部２３２１とをさらに備えることとしてもよい。受信部２１０は、トリガパケットを無線信号によって受信した情報処理装置１００からトリガパケットを受信した旨を示すトリガパケット受信通知パケットを無線信号によって受信する。トリガパケット送信結果取得部２３２１は、受信部２１０によって受信された無線信号からトリガパケット受信通知パケットを取得する。また、トリガパケット生成部２３４は、トリガパケット送信結果取得部２３２１によってトリガパケット受信通知パケットが取得されるまで複数のトリガパケットを順次に生成し、送信部２６０は、トリガパケット生成部２３４によって生成された複数のトリガパケットを無線信号によって順次に情報処理装置１００に送信する。パケット取得部２３２は、例えば、受信部２１０によって受信された無線信号から取得したパケットにトリガパケット送信結果を識別するためのパケット識別情報が付与されている場合に、そのパケットをトリガパケット送信結果であるとしてトリガパケット送信結果取得部２３２１に出力する。
【００６０】
操作端末２００は、必要に応じて、第１受信制御部２２０を備える。第１受信制御部２２０は、受信部２１０によって受信された無線信号に対して、必要に応じて、増幅、フィルタリング、ダウンコンバージョンなどのアナログ処理を行うことにより、高周波信号をベースバンド信号に周波数変換する。また、第１受信制御部２２０は、制御部２３０がデジタル信号による処理を行う場合には、アナログ信号形式のベースバンド信号をデジタル形式のベースバンド信号に変換する。
【００６１】
制御部２３０は、必要に応じて、第２受信制御部２３１を備える。第２受信制御部２３１は、ベースバンド信号に対して、復調処理、デコード処理などを行う機能を有する。復調処理、デコード処理については、特に限定されるものではない。
【００６２】
操作端末２００は、必要に応じて、給電部２８０を備えるものである。給電部２８０は、電力供給パケット取得部２８１と、蓄電部２８２と、電力供給制御部２８３とを備え、制御部２３０は、コマンドパケット生成部２３５を備えることとしてもよい。その場合、電力供給パケット取得部２８１は、トリガパケットを無線信号によって受信した情報処理装置１００から電力を供給するための電力供給パケットを取得する。蓄電部２８２は、電力供給パケット取得部２８１によって取得された電力供給パケットから電力を取得して蓄積する。電力供給制御部２８３は、蓄電部２８２によって蓄積された電力を送信部２６０に供給する。コマンドパケット生成部２３５は、コマンドパケットを生成する。送信部２６０は、電力供給制御部２８３によって供給された電力を用いて、コマンドパケット生成部２３５によって生成されたコマンドパケットを情報処理装置１００にさらに送信する。
【００６３】
操作端末２００は、第２監視部２８５と、電力供給停止要求パケット生成部とをさらに備えることとしてもよい。第２監視部２８５は、蓄電部２８２に蓄積されている電力を監視するものである。電力供給停止要求パケット生成部は、第２監視部２８５によって電力が所定値を超えたと判断された場合に、電力供給パケットの送信を停止する旨を示す電力供給停止要求パケットを生成するものである。送信部２６０は、電力供給停止要求パケット生成部によって生成された電力供給停止要求パケットを情報処理装置１００にさらに送信する。また、コマンドパケット生成部２３５は、第２監視部２８５によって電力が所定値を超えたと判断された場合に、生成したコマンドパケットを出力することとしてもよい。
【００６４】
給電部２８０は、第１監視部２８４をさらに備えることとしてもよい。第１監視部２８４は、蓄電部２８２に蓄積されている電力を監視するものである。トリガパケット生成部２３４は、第１監視部２８４によって電力が所定値を超えたと判断された場合に、生成したトリガパケットを出力することとしてもよい。
【００６５】
コマンド取得部２３３１によってコマンドが複数取得される場合が想定される。この場合には、コマンドパケット生成部２３５は、コマンド取得部２３３１によって取得された複数のコマンドを先頭から順に第１コマンドから第Ｎコマンド（Ｎは２以上の整数）までとする。コマンドパケット生成部２３５は、第１コマンドから第Ｎ−１コマンドには電力供給パケットを再度送信する旨を示す電力再供給要求情報を付加して第１コマンドパケットから第Ｎ−１コマンドパケットとするとともに第Ｎコマンドには電力再供給要求情報を付加せずに第Ｎコマンドパケットとする。送信部２６０は、コマンドパケット生成部２３５によって生成された第１コマンドパケットから第Ｎコマンドパケットまでを順次に情報処理装置１００に送信する。
【００６６】
操作端末２００は、コマンドを１つのコマンドパケットに含めて送信できない場合がある。その場合には、コマンドパケット生成部２３５は、コマンドを複数に分割し、分割して得た複数のコマンドを先頭から順に第１コマンドから第Ｎコマンド（Ｎは２以上の整数）までとする。コマンドパケット生成部２３５は、第１コマンドから第Ｎ−１コマンドには電力供給パケットを再度送信する旨を示す電力再供給要求情報を付加して第１コマンドパケットから第Ｎ−１コマンドパケットとするとともに第Ｎコマンドには電力再供給要求情報を付加せずに第Ｎコマンドパケットとする。送信部２６０は、コマンドパケット生成部２３５によって生成された第１コマンドパケットから第Ｎコマンドパケットまでを順次に情報処理装置１００に送信する。
【００６７】
コマンドパケット生成部２３５は、コマンドを複数に分割する場合には、コマンドを複数に分割して送信する旨を示すコマンド分割送信情報をコマンドに付加することとしてもよい。
【００６８】
また、操作端末２００は、トリガパケット送信のための電力を取得する必要があるが、取得方法には様々なものがある。送信部２６０は、例えば、情報処理装置１００から所定時間ごとに送信される電力供給パケットから取得された電力、自端末に備えられたボタンの押下によって発電する圧電素子から取得された電力、電磁誘導によって取得される電力、太陽電池から取得される電力のうちの少なくともいずれか１つを用いて、トリガパケットを無線信号によって情報処理装置１００に送信することができる。
【００６９】
制御部１３０は、情報処理装置１００が表示部１７０を備える場合には、表示制御部１３７を備え、情報処理装置１００が音声出力部１８０を備える場合には、音声出力制御部１３９を備える。情報処理装置１００が、例えば、テレビに使用される場合には、処理実行部１３６は、映像データを表示制御部１３７に出力するとともに音声データを音声出力制御部１３９に出力する。表示制御部１３７は、映像データに基づいて映像を表示部１７０に表示させ、音声出力制御部１３９は、音声データに基づいて音声を音声出力部１８０に出力させる。
【００７０】
操作端末２００は、記憶部２４０を備えることとしてもよい。記憶部２４０は、例えば、プログラムやデータを記憶するために使用することが可能である。
【００７１】
［１−５．情報処理装置のハードウェア構成］
図５は、本実施形態に係る情報処理装置のハードウェア構成を示す図である。図５を参照して（適宜他の図参照）、本実施形態に係る情報処理装置のハードウェア構成について説明する。なお、図５は、情報処理装置１００をテレビに適用した場合のハードウェア構成例について示したものである。したがって、情報処理装置１００をテレビ以外の機器に適用する場合には、図５に示したハードウェア構成のうち、適宜必要な構成を選択して具備することが可能である。
【００７２】
図５に示すように、情報処理装置１００は、アンテナ８１０、アナログ部８２１、ＤＡ／ＡＤ変換部８２２、制御装置８３０、記憶装置８４０、電源制御回路８９１、アンテナ８９２、アナログ部８９３、ＡＤ変換部８９４、バッファ部８９６、音声映像処理部８９７、Ｉ／Ｆ（ＩｎｔｅｒＦａｃｅ）８９８、音声出力装置８８０、表示装置８７０、操作画面表示制御部８９５などを備えるものである。
【００７３】
アンテナ８１０は、例えば、受信部１１０の一例として機能するものであり、操作端末２００から電波により送信された無線信号を受信し、アナログ部８２１に出力する機能を有する。また、アンテナ８１０は、例えば、送信部１６０の一例として機能するものであり、アナログ部８２１から出力された高周波信号を電波により無線信号として送信する機能を有する。
【００７４】
アナログ部８２１は、例えば、第１受信制御部１２０の一例として機能するものであり、アンテナ８１０から出力された高周波信号をベースバンド信号に周波数変換してＤＡ／ＡＤ変換部８２２に出力する。また、アナログ部８２１は、第２送信制御部１５０の一例として機能するものであり、ＤＡ／ＡＤ変換部８２２から出力されたベースバンド信号を高周波信号に変換してアンテナ８１０に出力する。
【００７５】
ＤＡ／ＡＤ変換部８２２は、第１受信制御部１２０の一例として機能するものであり、アナログ部８２１から出力されたアナログ信号形式のベースバンド信号をデジタル形式のベースバンド信号に変換してデジタル部８３１に出力する。また、ＤＡ／ＡＤ変換部８２２は、第２送信制御部１５０の一例として機能するものであり、デジタル部８３１から出力されたデジタル形式のベースバンド信号をアナログ信号のベースバンド信号に変換してアナログ部８２１に出力する。
【００７６】
制御装置８３０は、制御部１３０の一例として機能するものであり、例えば、ＣＰＵ（Ｃｅｎｔｒａｌ  Ｐｒｏｃｅｓｓｉｎｇ  Ｕｎｉｔ）やＲＡＭ（Ｒａｎｄｏｍ  Ａｃｃｅｓｓ  Ｍｅｍｏｒｙ）などによって構成され、記憶装置８４０によって記憶されているプログラムを読み込んでＲＡＭに展開し、ＲＡＭに展開したプログラムを実行することによってその機能が実現される。また、制御装置８３０は、例えば、専用の回路によって構成されることとしてもよい。制御装置８３０は、デジタル部（変復調／エンコード／デコード処理部）８３１と、命令理解部８３２と、デジタル部（復調／デコード処理部）８３３とを備える。
【００７７】
デジタル部８３１は、例えば、第２受信制御部１３１の一例として機能するものであり、ＤＡ／ＡＤ変換部８２２から出力されたデジタル形式のベースバンド信号に対して、復調処理、デコード処理などを行い、命令理解部８３２に出力する。また、デジタル部８３１は、第１送信制御部１３８の一例として機能するものであり、命令理解部８３２から出力されたデジタル形式のベースバンド信号に対して、変調処理、エンコード処理などを行い、ＤＡ／ＡＤ変換部８２２に出力する。
【００７８】
記憶装置８４０は、記憶部１４０の一例として機能するものであり、例えば、ＨＤＤ（Ｈａｒｄ  Ｄｉｓｋ  Ｄｒｉｖｅ）などの不揮発性のメモリによって構成されるものである。記憶装置８４０は、制御部１３０がＣＰＵやＲＡＭなどによって構成される場合には、制御部１３０が実行するためのプログラムや、制御部１３０によるプログラムの実行に際して使用される各種データを記憶する機能を有するものである。
【００７９】
命令理解部８３２は、パケット取得部１３２の一例として機能するものであり、デジタル部８３１から出力された信号から命令を取り出して、取り出した命令を理解し、理解した命令に基づいて、各ブロックに信号を出力する。命令理解部８３２は、例えば、理解した命令が電源をＯＮ／ＯＦＦに切り替える旨を示すものであれば、電源制御回路８９１に電源ＯＮ／ＯＦＦ制御信号を出力する。また、命令理解部８３２は、例えば、理解した命令がチャンネル選択を示すものであれば、ＡＤ変換部８９４、デジタル部８３３、操作画面表示制御部８９５などにチャンネル選択信号を出力する。さらに、命令理解部８３２は、例えば、理解した命令が音量調整を示すものであれば、音声映像処理部８９７に音量調整制御信号を出力する。
【００８０】
電源制御回路８９１は、主電源ボタンを備えており、ユーザＵなどによって主電源ボタンが押下されると、ＡＣ（Ａｌｔｅｒｎａｔｉｎｇ  Ｃｕｒｒｅｎｔ）電源から電力を取得し、取得した電力を、アンテナ８１０、アンテナ８９２などに供給する。
【００８１】
アンテナ８９２は、情報処理装置１００において処理されるデータの一例としての番組データ信号を放送局などから受信し、アナログ部８９３に出力する。
【００８２】
アナログ部８９３は、アンテナ８９２から出力された高周波信号をベースバンド信号に周波数変換してＡＤ変換部８９４に出力する。
【００８３】
ＡＤ変換部８９４は、命令理解部８３２から出力されたチャンネル選択信号に基づいて、アナログ部８９３から出力されたアナログ信号形式のベースバンド信号からチャンネル選択信号が示すチャンネルによって指定される周波数の信号を取り出し、取り出した信号をデジタル形式のベースバンド信号に変換してデジタル部８３３に出力する。
【００８４】
デジタル部８３３は、命令理解部８３２から出力されたチャンネル選択信号に基づいて、ＡＤ変換部８９４から出力されたデジタル形式のベースバンド信号に対して、復調処理、デコード処理などを行い、音声映像信号としてバッファ部８９６に出力する。
【００８５】
バッファ部８９６は、デジタル部８３３から出力された音声映像信号を一時的に蓄積する機能を有する。バッファ部８９６に一時的に蓄積された音声映像信号は音声映像処理部８９７によって適宜取り出される。
【００８６】
音声映像処理部８９７は、バッファ部８９６から音声映像信号を取り出し、取り出した音声映像信号から音声信号と映像信号とを分離する。音声映像処理部８９７は、分離して得た音声信号に対して、バッファ部８９６から命令理解部８３２から出力された音量調整制御信号に基づいて、音量を調節する処理を行い、映像信号と音量調節後の音声信号とをＩ／Ｆ８９８に出力する。
【００８７】
操作画面表示制御部８９５は、命令理解部８３２から出力されたチャンネル選択信号に基づいて、表示すべきチャンネル番号、チャンネル番号の表示位置などの情報を特定し、特定したチャンネル番号、チャンネル番号の表示位置などの情報をＩ／Ｆ８９８に出力する。
【００８８】
Ｉ／Ｆ８９８は、音声映像処理部８９７から出力された音声信号を、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）などを介して音声出力装置８８０に出力する。また、Ｉ／Ｆ８９８は、音声映像処理部８９７から出力された映像信号を、ＨＤＭＩなどを介して表示装置８７０に出力する。Ｉ／Ｆ８９８は、操作画面表示制御部８９５からチャンネル番号、チャンネル番号の表示位置などの情報に基づいて作成したチャンネル番号などを映像信号に重畳する。
【００８９】
表示装置８７０は、表示部１７０の一例として機能するものであり、Ｉ／Ｆ８９８から出力された映像信号に基づいて映像を出力する機能を有する。
【００９０】
音声出力装置８８０は、音声出力部１８０の一例として機能するものであり、Ｉ／Ｆ８９８から出力された音声信号に基づいて音声を出力する機能を有する。
【００９１】
［１−６．操作端末のハードウェア構成］
図６は、本実施形態に係る操作端末のハードウェア構成を示す図である。図６を参照して（適宜他の図参照）、本実施形態に係る操作端末のハードウェア構成について説明する。なお、図６は、操作端末２００のハードウェア構成の一例について示したものである。したがって、図６に示したハードウェア構成のうち、適宜必要な構成を選択して具備することが可能である。
【００９２】
図６に示すように、操作端末２００は、給電装置９８０、制御装置９３０、記憶装置９４０、入力装置９７０、ＤＡ／ＡＤ変換部９２０、アナログ部９２１、アンテナ９１０などを備えるものである。給電装置９８０は、アンテナ９８１、接地点９８２、整流子９８３、接地点９８４、整流子９８５、コイル９８６、コンデンサ９８７、第１電圧監視レギュレータ回路９８９、第２電圧監視レギュレータ回路９９０、レギュレータ９９１などを備えるものである。
【００９３】
アンテナ９８１は、電力供給パケット取得部２８１の一例として機能するものであり、情報処理装置１００から送信された電波による無線信号を受信するものである。アンテナ９８１によって受信された電波による無線信号は、整流子９８３によって半波整流波に変換され、変換された半端整流波がコンデンサ９８７に流れ込むことによって、コンデンサ９８７に電力が蓄積される。コンデンサ９８７の容量は、パケットを送信するための電力が蓄積できる程度の大きさであればよく、コンデンサ９８７としては、チップコンデンサなどを使用することができる。
【００９４】
コンデンサ９８７に蓄積されている電力は、第１電圧監視レギュレータ回路９８９および第２電圧監視レギュレータ回路９９０による電圧監視によって監視される。第１電圧監視レギュレータ回路９８９は、第１監視部２８４の一例として機能し、第２電圧監視レギュレータ回路９９０は、第２監視部２８５の一例として機能するものである。レギュレータ９９１は、第１電圧監視レギュレータ回路９８９によってコンデンサ９８７に蓄積されている電力が所定値を超えたと判断された場合に、アンテナ９１０に電力を供給する。また、レギュレータ９９１は、第２電圧監視レギュレータ回路９９０によってコンデンサ９８７に蓄積されている電力が所定値を超えたと判断された場合に、アンテナ９１０に電力を供給する。
【００９５】
制御装置９３０は、制御部２３０の一例として機能するものであり、例えば、ＣＰＵやＲＡＭなどによって構成され、記憶装置９４０によって記憶されているプログラムを読み込んでＲＡＭに展開し、ＲＡＭに展開したプログラムを実行することによってその機能が実現される。また、制御装置９３０は、例えば、専用の回路によって構成されることとしてもよい。制御装置９３０は、デジタル部（変復調／エンコード／デコード処理部）９３１を備える。
【００９６】
デジタル部９３１は、例えば、第１送信制御部２３６の一例として機能するものであり、制御装置９３０内で生成された各種パケットなどのデジタル形式のベースバンド信号に対して、変調処理、エンコード処理などを行い、ＤＡ／ＡＤ変換部９２０に出力する。
【００９７】
ＤＡ／ＡＤ変換部９２０は、第２送信制御部２５０の一例として機能するものであり、デジタル部８３１から出力されたデジタル形式のベースバンド信号をアナログ信号のベースバンド信号に変換してアナログ部９２１に出力する。
【００９８】
アナログ部９２１は、例えば、第２送信制御部２５０の一例として機能するものであり、ＤＡ／ＡＤ変換部９２０から出力されたベースバンド信号を高周波信号に変換してアンテナ９１０に出力する。
【００９９】
アンテナ９１０は、例えば、送信部２６０の一例として機能するものであり、アナログ部９２１から出力された高周波信号を電波により無線信号として送信する機能を有する。
【０１００】
記憶装置９４０は、記憶部２４０の一例として機能するものであり、例えば、不揮発性のメモリによって構成されるものである。記憶装置９４０は、制御部２３０がＣＰＵやＲＡＭなどによって構成される場合には、制御部２３０が実行するためのプログラムや、制御部２３０によるプログラムの実行に際して使用される各種データを記憶する機能を有するものである。
【０１０１】
入力装置９７０は、入力部２７０の一例として機能するものであり、例えば、ボタン操作によりユーザＵから情報の入力を受け付けることが可能なものである。
【０１０２】
［１−７．情報処理システムによって実行される処理の流れ］
図７は、情報処理システムによって実行される処理の流れを示すシーケンス図である。図７を参照して（適宜他の図参照）、情報処理システムによって実行される処理の流れについて説明する。図７には、操作端末２００がトリガパケットを送信するための電力を既に有している場合に実行される処理の流れが示されている。操作端末２００がトリガパケットを送信するための電力を取得する例についての詳細は、図８を参照して後述する。
【０１０３】
図７において、情報処理装置１００および操作端末２００のそれぞれから下方へ伸びる直線（以下、「時間線」とも言う。）によって時間経過を示しており、その時間線の間を結ぶ矢印が、無線信号によって情報処理装置１００と操作端末２００との間を往来するパケットを示している。また、時間線の外側にある矢印は各機器内での情報のやり取りを示している。
【０１０４】
図７に示すように、ユーザＵは、操作端末２００のボタン操作を開始し、操作端末２００は、ユーザＵによるボタン操作開始３０２を受け付けることによってユーザＵから操作情報を受け付ける。操作端末２００は、ボタン操作開始３０２を受け付けると、トリガパケット３０３Ａを情報処理装置１００に送信する。図７に示すように、情報処理装置１００が間欠的にトリガパケット受信待ち状態（Ｒｅｃｅｉｖｅ  Ｗｉｎｄｏｗ）に遷移する場合には、情報処理装置１００は、トリガパケットを受信した後にＡｃｋパケット（Ａｃｋｎｏｗｌｅｄｇｅｍｅｎｔ  Ｐａｃｋｅｔ）３０４を操作端末２００に返信するようにする。
【０１０５】
図７には、情報処理装置１００がトリガパケット３０３Ａ、３０３Ｂを受信できないが、トリガパケット３０３Ｃを受信でき、トリガパケット３０３Ｃを受信した後にＡｃｋパケット３０４を操作端末２００に返信する例について示されている。操作端末２００は、例えば、情報処理装置１００からＡｃｋパケット３０４を受信するまでトリガパケット（例えば、トリガパケット３０３Ａ、３０３Ｂ、３０３Ｃ）を情報処理装置１００に送信する。操作端末２００は、情報処理装置１００からＡｃｋパケット３０４を受信するとトリガパケットの送信を停止することができる。情報処理装置１００が間欠的にトリガパケット受信待ち状態に遷移する場合には、操作端末２００は、情報処理装置１００のトリガパケット受信待ち状態が解除されてから次にトリガパケットの受信待ち状態に遷移するまでの間、トリガパケットの送信を継続する必要が生じる場合もある。
【０１０６】
情報処理装置１００は、受信部１１０によってトリガパケット３０３Ｃを受信すると、受信部１１０によってトリガパケット受信通知３０５が制御部１３０に出力され、制御部１３０において電力供給パケット送信指示３０６が出力される。トリガパケット受信通知３０５は、例えば、受信部１１０によって受信されたトリガパケット３０３Ｃ自体であってもよいし、トリガパケットを受信した旨を示す通知であってもよい。制御部１３０によって電力供給パケット送信指示３０６が出力されると、情報処理装置１００は、送信部１６０により、電力供給パケット３０７Ａ、３０７Ｂ、３０７Ｃを操作端末２００に送信する。ここでは、情報処理装置１００は、操作端末２００に対して所定数の電力供給パケットを送信することとするが、情報処理装置１００が操作端末２００に対する電力供給パケットの送信を停止するタイミングについては、前述したように特に限定されるものではない。
【０１０７】
操作端末２００は、電力供給パケットから電力を取得して電力を確保し、電力供給パケットの受信を所定数回行うと、コマンドパケットの送信を行う。操作端末２００は、１つのコマンドパケットに必要な情報をすべて含めることができない場合には、コマンドパケットを複数のコマンドパケット（例えば、コマンドパケット♯１（３０８）〜コマンドパケット♯Ｎ（３１１））に分割して、分割して得た複数のコマンドパケットのそれぞれを順次に情報処理装置１００に送信する。
【０１０８】
前述したように、各コマンドパケットには、例えば、電力供給パケットを再度送信する旨を示す電力再供給要求情報が付加されていることとしてもよい。電力再供給要求情報が付加されている場合には、情報処理装置１００は、所定数の電力供給パケットを操作端末２００にさらに送信する。この場合においても、情報処理装置１００が操作端末２００に対する電力供給パケットの送信を停止するタイミングについては、特に限定されるものではない。図７には、情報処理装置１００が、コマンドパケット♯１（３０８）を受信した後にＡｃｋパケット３０９を操作端末２００に返信するとともに、コマンドパケット♯１（３０８）に電力再供給要求情報が付加されていると判断し、電力供給パケット３１０Ａ、３１０Ｂ、３１０Ｃを操作端末２００に返信する例が示されている。また、情報処理装置１００が、コマンドパケット♯Ｎ（３１１）を受信した後にＡｃｋパケット３０９を操作端末２００に返信するとともに、コマンドパケット♯Ｎ（３１１）に電力再供給要求情報が付加されていないと判断し、電力供給パケットを操作端末２００に返信しない例が示されている。
【０１０９】
情報処理装置１００は、受信部１１０により、電力再供給要求情報が付加されていないコマンドパケット♯Ｎ（３１１）を受信すると、制御部１３０は、コマンドパケットの受信が完了した旨を示すコマンドパケット受信通知３１３を発令する。制御部１３０は、コマンドパケット受信通知３１３が発令されると、コマンドパケット♯１（３０８）〜コマンドパケット♯Ｎ（３１１）までを結合して、結合して得たコマンドに従って処理を実行する。制御部１３０は、トリガパケットの受信待ち状態遷移指示３１４を受信部１１０に出力する。
【０１１０】
操作端末２００は、情報処理装置１００からＡｃｋパケット３１２を受信すると、操作端末２００のボタン操作終了３１５を行う。
【０１１１】
なお、図７は、操作端末２００が、１つのコマンドパケットに必要な情報をすべて含めることができない場合に情報処理システム１０によって実行される処理の流れについて示したものである。したがって、図７に示した例では、操作端末２００がコマンドを分割して得た複数のコマンドを各パケットに含めて送信することとしたが、複数のコマンドパケットに含まれる各コマンドは、それぞれにおいて完結したものであってもよい。この場合には、受信部１１０により、コマンドパケット♯１（３０８）〜コマンドパケット♯Ｎ（３１１）までの各パケットを受信するたびに、制御部１３０は、コマンドパケットの受信が完了した旨を示すコマンドパケット受信通知３１３を発令すればよい。制御部１３０は、コマンドパケット受信通知３１３が発令された場合に、受信部１１０によって受信された各パケットに含まれるコマンドに従って処理を実行すればよい。制御部１３０は、例えば、コマンドパケット♯１（３０８）〜♯Ｎ−１に含まれる各コマンドに従った処理を実行した後に電力供給パケット送信指示３０６を出力し、例えば、コマンドパケット♯Ｎ（３１１）に含まれるコマンドに従った処理を実行した後にトリガパケットの受信待ち状態遷移指示３１４を受信部１１０に出力すればよい。
【０１１２】
［１−８．トリガパケットを送信するための電力を取得する処理の流れ］
図８は、操作端末がトリガパケットを送信するための電力を取得する処理の流れの一例を示すシーケンス図である。図８を参照して（適宜他の図参照）、操作端末がトリガパケットを送信するための電力を取得する処理の流れの一例について説明する。
【０１１３】
図７に示した処理の流れを情報処理システム１０が実行するに際して、操作端末２００が情報処理装置１００にトリガパケットを送信するための電力を確保する必要が生じる。トリガパケット自体は、電力供給を開始するために使用されるにすぎないので、電力供給パケットよりも小さいパケットによって構成されることとすればよく、極めて小さいパケットであればよい。トリガパケットは、例えば、プリアンブルのみによって構成されることとしてもよい。前述したように、特に、情報処理装置１００が間欠的にトリガパケットの受信待ち状態に遷移する場合には、操作端末２００は、トリガパケットを複数回送信する必要が生じ、トリガパケットを送信するための電力を確保する必要がある。
【０１１４】
そのために、情報処理装置１００から定期的に電力供給パケットを送信する手法を用いることができる。情報処理装置１００が間欠的にトリガパケットの受信待ち状態に遷移する場合には、図８に示すように、情報処理装置１００から操作端末２００への定期的な電力供給パケット３０１Ａ、３０１Ｂ、３０１Ｃの送信と定期的なトリガパケットの受信待ち状態とを同期させる手法を用いることができる。
【０１１５】
操作端末２００がトリガパケットの送信に使用する電力を確保する手法としては、その他にも、ボタンが押されるという物理的な動作によって発電する圧電素子を利用する手法などがある。また、Ｆｅｌｉｃａ（登録商標）などに代表される非接触型ＩＣカードに利用される電磁誘導を使う手法、太陽電池を使う手法などを用いることができる。さらに、これらの複数の手法を組み合わせて利用してトリガパケットの送信に使用する電力を確保することが可能である。
【０１１６】
＜２．変形例＞
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１７】
＜３．まとめ＞
第１実施形態によれば、操作端末２００が情報処理装置１００の有する電力を用いて通信を行うに際して、電力の利用効率を向上させることが可能である。また、操作端末２００は、電池などによる電力を有さない構成をとるものであっても、ユーザＵは、操作端末２００を半永久的に利用することが可能となる。
【符号の説明】
【０１１８】
１０    情報処理システム
１００  情報処理装置
１１０  受信部
１３０  制御部
１３２  パケット取得部
１３２１  トリガパケット取得部
１３２２  コマンドパケット取得部
１３３  トリガパケット受信通知部
１３４  電力供給パケット生成部
１３５  電力供給判断部
１３６  処理実行部
１４０  記憶部
１６０  送信部
１７０  表示部
２００  操作端末
２１０  受信部
２３０  制御部
２３２  パケット取得部
２３２１  トリガパケット送信結果取得部
２３３  操作情報取得部
２３３１  コマンド取得部
２３４  トリガパケット生成部
２３５  コマンドパケット生成部
２６０  送信部
２７０  入力部
２８０  給電部
２８１  電力供給パケット取得部
２８２  蓄電部
２８３  電力供給制御部
【図１】
2011034294.tif 000003
【図２】
2011034294.tif 000004
【図３】
2011034294.tif 000005
【図４】
2011034294.tif 000006
【図５】
2011034294.tif 000007
【図６】
2011034294.tif 000008
【図７】
2011034294.tif 000009
【図８】
2011034294.tif 000010